(57)【要約】【課題】  簡単な構造で、強い取付強度を有し、容易に門扉の位置調整を行うことができる軸受金具を提供する。【解決手段】  門扉１３を支柱１２等に回動自在に取り付ける軸受金具１０であって、支柱１２に固定される本体１４と、本体１４に調整方向に沿って形成されたスライド溝２６と、本体１４の内側に差し込まれスライド溝２６に沿って移動可能なアーム部材２８とを備える。アーム部材２８に形成されスライド溝２６に対向する雌ねじ３６と、アーム部材２８の本体１４から外側に突出した部分に略垂直に立設され門扉１３を取り付ける軸部材５６と、本体１４の外側からスライド溝２６に差しこみアーム部材２８の雌ネジ３６に螺合されるボルト６４と、ボルト６４が挿通するとともに本体１４のスライド溝２６縁部とアーム部材２８の間に位置する滑り止め座金４６を備える。滑り止め座金４６は、アーム部材２８と本体１４よりも硬い素材で形成されている。【選択図】      図１
2005139741.tif 000002
【特許請求の範囲】
【請求項１】
門扉を被取付物に回動自在に取り付ける軸受金具において、上記被取付物に固定される本体と、上記本体に調整方向に沿って形成されたスライド溝と、上記本体内側に差し込まれスライド溝に沿って移動可能であり上記スライド溝に対して略直角方向へ揺動可能なアーム部材と、上記アーム部材に形成され上記スライド溝に対向する雌ねじと、上記アーム部材の上記本体から外側に突出した部分に略垂直に立設され門扉を回転自在に取り付ける軸部材と、上記本体の外側から上記スライド溝に差しこみ上記アーム部材の雌ネジに螺合されるボルトと、上記ボルトが挿通するとともに上記本体のスライド溝側縁部と上記アーム部材との間に位置する滑り止め座金が設けられ、上記滑り止め座金は上記アーム部材と上記本体よりも硬い素材で形成され、上記滑り止め座金には上記アーム部材側と上記本体側とに突出して上記アーム部材及び本体に食い込む突起が各々設けられていることを特徴とする軸受金具。
【請求項２】
上記滑り止め座金は、一方向に長い円形であり、周縁部には、アーム部材側突起と本体側突起が、複数個交互に並んで一周して設けられていることを特徴とする請求項１記載の軸受金具。
【請求項３】
上記アーム部材には上記滑り止め座金が嵌合される収容凹部が形成されていることを特徴とする請求項１または２記載の軸受金具。
【発明の詳細な説明】
【技術分野】
【０００１】
この発明は、門を形成する支柱や塀に門扉を回転自在に取り付ける軸受金具に関する。
【背景技術】
【０００２】
従来、一戸建て住宅の門やマンションの各戸の通路側に設けられる門扉は、所定形状の外枠部を有しこの外枠部の内側に桟状部が取り付けられた構造であった。そして門扉の外枠部の縦方向の一側縁部は、軸受金具である門扉用ヒンジを介して門柱や塀に取り付けられていた。門扉用ヒンジのうちピボットヒンジと称されるものは、支柱等に固定される本体と、本体に軸止される支持アーム部材と、この支持アーム部材に固定され垂直に位置する円柱形の支軸が設けられていた。そして、門扉には支軸に対して回転可能に嵌合する保持部材が取り付けられていた。
【０００３】
さらに、門扉の、支柱等に対する位置を微調整することができるピボットヒンジとして特許文献１に開示されている門扉取付用のヒンジがあった。このヒンジは、門柱に取り付けられる固定具が設けられ、この固定具には門扉の方へ突出する支持アーム部材と、この支持アーム部材の底部を係止するロック部材が設けられている。また、支持アーム部材には、門扉を回転可能に軸止する支軸が設けられているとともに、支持アーム部材の固定具からの突出量を調節する調節ネジが設けられ、調節ネジは固定具に首振り可能な隙間を持って嵌合されているものである。
【０００４】
この門扉取付用ヒンジは、調整ネジを調整して、固定具に対する支持アーム部材の突出量、すなわち門柱に対する門扉の位置を近づけたり遠ざけたりする方向へ位置調整することができる。また、支持アーム部材はロック部材の任意の位置に、支持アーム部材の長手方向に対して直角方向に移動させることができ、門柱に対して門扉の厚み方向の位置調整を行うことができる。
【特許文献１】実公平６−４８０８０号公報
【発明の開示】
【発明が解決しようとする課題】
【０００５】
上記従来の特許文献１に開示されている技術の場合、門扉の位置の微調整を行うための調整構造が複雑であり、互いに直交する方向に設けられた一対のねじを各々操作しなければならず、手間がかかるものである。また、一般的に支持アーム部材は重い門扉を軸止するため、高い強度を有して本体に取り付けられなければならず、調整が容易で支持アーム部材を強固に取り付け可能な軸受金具が求められている。
【０００６】
この発明は、上記従来の技術の問題点に鑑みてなされたものであり、簡単な構造で、高い取付強度を有し、しかも容易に門扉の位置調整を行うことができる軸受金具を提供することを目的とする。
【課題を解決するための手段】
【０００７】
本発明は、門扉を被取付物に回動自在に取り付ける軸受金具であって、上記被取付部に固定される本体と、上記本体に調整方向に沿って形成されたスライド溝と、上記本体内側に差し込まれ上記スライド溝に沿って移動可能なアーム部材と、上記アーム部材に形成され上記スライド溝に対向する雌ねじと、上記アーム部材の上記本体から外側に突出した部分に略垂直に立設され門扉を回転自在に取り付ける軸部材と、上記本体の外側から上記スライド溝に差しこみ上記アーム部材の雌ネジに螺合されるボルトと、上記ボルトが挿通するとともに上記本体のスライド溝側縁部と上記アーム部材の間に位置する滑り止め座金が設けられている軸受金具である。上記滑り止め座金は、上記アーム部材や上記本体よりも硬い素材で形成されている。そして、上記滑り止め部材には上記アーム部材側に突出し上記アーム部材に食い込むアーム部材側突起と、上記本体側に突出し上記本体に食い込む本体側突起が設けられている。
【０００８】
また、上記滑り止め座金は、一方向に長い長円形や楕円形であり、周縁部には、上記アーム部材側突起と上記本体側突起が、複数個が交互に並んで一周して設けられている。また、上記アーム部材部材には上記滑り止め座金が入れられる収容凹部が形成されている。
【発明の効果】
【０００９】
本発明の軸受金具は、簡単な構造であり、一本のボルトを緩めることにより、門扉の位置の調整がほぼ水平な二方向に可能であり、ボルトを締めると滑り止め座金がアーム部材と本体に食い込んで高い取付強度で確実に固定される。
【発明を実施するための最良の形態】
【００１０】
以下、この発明の実施形態について図面に基づいて説明する。図１〜図５はこの発明の一実施形態を示すもので、この実施形態の軸受金具１０は、図５に示すように、地面に立設された支柱１２に門扉１３を取り付けるものである。
【００１１】
軸受金具１０は、支柱１２に固定される本体１４を有している。本体１４は、一方向に長い矩形のケース部１６が形成され、ケース部１６の長手方向の一端に位置する一側面は開口され、後述するアーム部材が挿通される挿通口１８となる。挿通口１８に連続する長手方向に平行な一側面も開口され、この開口に対し直角に位置した一方の側面１６ａには、上記開口縁部に連続し側面１６ａに対してほぼ直角に側方へ延出する板状の取付部２０が一体に設けられている。取付部２０は、支柱１２に重ねられて取り付けられるものであり、一対のネジ用透孔２２が設けられている。側面１６ａに対して平行な側面１６ｂにも、開口縁部に連続し側面１６ｂに対してほぼ直角に側方へ延出する板状の取付部２０が一設けられ、この一対の取付部２０には、同様に各々一対のネジ用透孔２２が設けられている。各取付部２０の、挿通口１８と反対側の端部２０ａには、側面１６ａ及び１６ｂに対して各々直角に当接する三角板状の補強部２４がそれぞれ設けられている。
【００１２】
ケース部１６の側面１６ａは、支柱１２に取り付けられたときに下方に面し、側面１６ａの長手方向、つまり挿通口１８の挿通方向に対して平行に、長円状の貫通孔であるスライド溝２６が形成されている。
【００１３】
ケース部１６の挿通口１８には、棒状のアーム部材２８が入れられている。アーム部材２８は、長手方向に対して直角な断面形状がほぼ矩形の支持部３０を有している。支持部３０の、使用状態で下を向く下面３０ａには、軽量化のための凹部３１が形成されている。支持部３０のケース部１６内側の端部には、連結部３２が一体に形成されている。連結部３２は、支持部３０の長手方向に対して平行な断面形状、つまり下面３０ａに対して平行な断面形状が、支持部３０の幅よりも大きい長円形に形成されている。連結部３２の、ケース部１６側面１６ａに対面する面には、後述する滑り止め用座金４６が嵌合される収容凹部３４が設けられている。収容凹部３４の底部には、長円の中心よりも少し支持部３０寄りの位置に、連結部３２の長円の厚み方向に貫通する雌ネジ３６が設けられている。
【００１４】
支持部３０の、ケース部１６から露出している端部には、保持筒部３８が一体に設けられている。保持筒部３８は、支持部３０の下面３０ａに対してほぼ直角に、つまりほぼ垂直に挿通する筒体であり、内側に挿通口４０が設けられている。挿通口４０の途中には、後述する軸部材５６の下端部に設けられた四角形回転止め部５８が嵌合される四角筒部４２が連通して形成されている。四角筒部４２のさらに奥は、挿通口４０を閉鎖する閉鎖部４３が設けられ、閉鎖部４３の中心にはネジ用透孔４４が設けられて挿通口４０の反対側端部に連通している。
【００１５】
アーム部材２８の保持筒部３８には、円柱状の軸部材５６が取り付けられている。軸部材５６は、アーム部材２８の挿通口４０に嵌合される太さであり、一方の端部には、アーム部材２８の挿通口４０の四角筒部４２に嵌合される四角形回転止め部５８が、一体に形成されている。四角形回転止め部５８の、閉鎖部４３に当接する端面には、ネジ用透孔４４に連通する図示しない雌ネジが設けられている。軸部材５６は、閉鎖部４３の反対側からネジ用透孔４４に差し込まれたボルト６０に螺合され、取り付けられている。
【００１６】
アーム部材２８の収容凹部３４には、図２に示す滑り止め座金４６が嵌合されて設けられている。滑り止め座金４６は、ステンレスなど、アルミニウム製の本体１４やアーム部材２８よりも硬い材質で作られている。滑り止め座金４６は、楕円形の板部４８を有し、板部４８の中心よりも少し長手方向の端部寄りの位置に、アーム部材２８の雌ネジ３６に連通するネジ用透孔５０が形成されている。板部４８の周縁部には、板部４８に対して平行な小形の矩形板状のアーム部材側突起５２が設けられている。アーム部材側突起５２は、板部４８とほぼ同じ厚みを有し、板部４８からアーム部材２８側に僅かにずれるように突出して一体に設けられている。アーム部材側突起５２は複数個、ここでは７個が所定間隔に、板部４８周縁部を一周して設けられている。一対のアーム部材側突起５２の間には、アーム部材側突起５２とほぼ同じ形状の本体側突起５４が設けられている。本体側突起５４は、板部４８とほぼ同じ厚みを有し、板部４８から本体１４のケース部１６側の面１６ａ側にずれるように突出して一体に設けられている。本体側突起５４は、ここでは７個が、アーム部材側突起５２と交互に位置して板部４８周縁部を一周して設けられている。
【００１７】
次に、この実施形態の軸受金具１０の組立方法について説明する。まず、地面に立設された支柱１２に、軸受金具１０の本体１４を固定する。固定方法は、本体１４の所定位置に取付板２０を重ね、ネジ用透孔２２にボルト６２を差し込み、ボルトを支柱１２の内側の図示しないナットに螺合させて固定する。このとき、本体１４の、スライド溝２６が設けられた側面１６ａが下方を向くように取り付ける。
【００１８】
そして、アーム部材２８の収容凹部３４に、滑り止め座金４６を入れ、アーム部材２８を本体１４のケース部１６に、挿通口１８から入れる。このとき、滑り止め座金４６が、ケース部１６のスライド溝２６に対向する向きにセットする。次にスライド溝２６の外側から、ボルト６４を、座金６６を介して差しこみ、滑り止め座金４６のネジ用透孔５０を通過してアーム部材２８の雌ネジ３６に螺合させる。ボルト６４を締めていくと、滑り止め座金４６のアーム部材側突起５２はアーム部材２８の収容凹部３４の底部に圧接してくいこみ、本体側突起５４はケース部１６のスライド溝２６の周縁部に圧接してくいこみ、高い取付強度で係止される。なお、後の調整のため、このときは仮固定状態としておく。
【００１９】
また、アーム部材２８の保持筒部３８に、軸部材５６を取り付ける。軸部材５６の四角形回転止め部５８が設けられた端部を保持筒部３８の挿通口４０に上から入れ、四角形回転止め部５８を四角筒部４２に嵌合させ、下から差し込んだボルト６０で螺合し、固定する。そして、軸部材５６のアーム部材２８から突出している部分に、門扉１３に固定された支持部材６８を回転可能に取り付ける。
【００２０】
門扉１３の、支柱１２に対する姿勢や位置を調整するときは、ボルト６４をゆるめて、滑り止め座金４６の係合を解除する。これによりアーム部材２８は、スライド溝２６に沿って突出方向に移動可能となり、またボルト６４を中心に突出方向に対して直角方向に回転可能となる。そして、調節による所望の位置で再びボルト６４を締めると、滑り止め座金４６が再びくいこみ、係止される。
【００２１】
この実施形態の軸受金具１０によれば、簡単な操作方法により、支柱１２に対して門扉１３の位置を調整することができ、滑り止め座金４６は、ボルト６４を締めるだけで、本体１４に対して水平方向の任意の位置にアーム部材２８を固定することができる。つまり、一つのボルト６４による調整で、本体１４に対するアーム部材２８の突出量を変えて、支柱１２に対する門扉１３の位置を近づけたり遠ざけたりする方向へ位置調整することができる。また、アーム部材２８はボルト６４を中心に揺動させ、アーム部材２８の保持筒部３８をアーム部材２８の突出方向に対して直角方向に移動させることができ、支柱１２に対して門扉１３の厚み方向の位置調整を行うことができる。そして、滑り止め座金４６は、複数のアーム部材側突起５２と本体側突起５４が周縁部に交互に一周して設けられているため、アーム部材２８と、本体１４のケース１６に、広い表面積で当接し、強い力で係止することができる。これにより、重い門扉１３を確実に保持することができる。また、滑り止め座金４６は材料の硬さの違いでアーム部材２８や本体１４に食い込むいため、任意の位置で係止することができる。
【００２２】
なお、この発明の軸受部材は上記実施の形態に限定されるものではなく、各部材の形状や素材等、適宜変更可能である。滑り止め座金の形状も、隣接する部材に確実に食い込んで回転を防ぐものであれば良い。
【図面の簡単な説明】
【００２３】
【図１】この発明の一実施形態の軸受金具の斜視図である。
【図２】この実施形態の軸受金具の滑り止め座金の斜視図である。
【図３】この実施形態の軸受金具の正面図である。
【図４】この実施形態の軸受金具の平面図である。
【図５】この実施形態の軸受金具の使用状態を示す斜視図である。
【符号の説明】
【００２４】
１０  軸受金具
１２  支柱
１３  門扉
１４  本体
１６  ケース部
１８  挿通口
２０  取付部
２６  スライド溝
２８  アーム部材
３０  支持部
３２  連結部
３４  収容凹部
３６  雌ネジ
３８  保持筒部
４６  滑り止め座金
４８  板部
５０  ネジ用透孔
５２  アーム部材側突起
５４  本体側突起
５６  軸部材
６０，６２，６４  ボルト
【図１】
2005139741.tif 000003
【図２】
2005139741.tif 000004
【図３】
2005139741.tif 000005
【図４】
2005139741.tif 000006
【図５】
2005139741.tif 000007